(57)【要約】【課題】安価に手軽に製作を楽しむことができるアートフラワー作成キットを得る。【解決手段】本発明によるアートフラワー作成キットは、着色した針金または樹脂製の茎用線条ピース１および葉枝用線条ピース２と、花びらの種類に応じてスジ押し用ラインマーク８を付けた紙製の花びらピース３と、葉枝用線条ピース２の先端部分を収納するポケットを形成するための谷折りラインマークを付けた葉っぱピース４と、紙製であり、先端が細長く鋸歯状に分かれて突出する扇形の萼ピース５と、花びらピース３／萼ピース５および葉っぱピース４を、それぞれ茎用線条ピース１および葉枝用線条ピース２の先端に固定するための両面テープのセット６と、花びらをカールするための巻き棒７と、を有する。花びらピース３および葉っぱピース４は、温度により色が変化するインク、または芳香剤もしくは芳香剤を封入したマイクロカプセル粒子を混入した塗料を塗布する。【選択図】図１
2009242965.tif 000002
【特許請求の範囲】
【請求項１】
太い茎用線条ピースと、
細い葉枝用線条ピースと、
花びらの種類に応じてスジ押し用ラインマークを付けた紙製の花びらピースと、
前記葉枝用線条ピースの先端部分を収納するポケット部分を形成するための谷折りラインマークを付けた紙製の葉っぱピースと、
紙製であり、先端が細長く鋸歯状に分かれて突出する扇形の萼ピースと、
前記花びらピース／萼ピースおよび葉っぱピースを、それぞれ前記茎用線条ピースおよび葉枝用線条ピースの先端に固定するための両面テープのセットと、
花びらをカールするための巻き棒と
を有することを特徴とするアートフラワー作成キット。
【請求項２】
前記花びらピースは、大、中、小の少なくとも３種類の形状を用意し、大、中用ピースにはスジ押し用ラインマークを付けた請求項１記載のアートフラワー作成キット。
【請求項３】
前記花びらピースおよび葉っぱピースは、温度により色が変化するインクを塗布したものとした請求項１または２記載のアートフラワー作成キット。
【請求項４】
前記花びらピースは、芳香剤を塗布したものとした請求項１〜３のうちいずれか一項に記載のアートフラワー作成キット。
【請求項５】
前記芳香剤は、芳香剤を封入し、擦ると芳香を発するマイクロカプセル粒子を混入した塗料とした請求項４記載のアートフラワー作成キット。
【請求項６】
３輪の花用の作品セットと、花用の練習用セットを用意した請求項１〜５のうちいずれか一項に記載のアートフラワー作成キット。
【請求項７】
請求項１〜５のいずれか一項に記載のアートフラワー作成キットで作成したアートフラワー。
【発明の詳細な説明】
【技術分野】
【０００１】
本発明は、アートフラワーを作成するためのキットおよびこのキットで作成したアートフラワーに関する。
【背景技術】
【０００２】
従来アートフラワーは、布製、合成樹脂製、または生花を乾燥したもの（プリザーブド）を使用していた。布製およびプリザーブドのアートフラワーとしては、例えば、非特許文献１に記載されているものがある。
【非特許文献１】"高級アートフラワー・ショップ／アトリエ輪"、[Online]、[平成２０年２月２０日検索]、インターネット＜URL:http://www.atelier-rin.com＞
【発明の開示】
【発明が解決しようとする課題】
【０００３】
従来のアートフラワーは、花材が高価であったり、また、こて等の作成のための種々の加工ツール、および接着剤を必要としていたりしていた。
したがって、本発明の目的は、安価に手軽に製作を楽しむことができるアートフラワー作成キットおよびこの作成キットで作成したアートフラワーを得るにある。
【課題を解決するための手段】
【０００４】
この目的を達成するため、本発明アートフラワー作成キットは、太い茎用線条ピースと、細い葉枝用線条ピースと、花びらの種類に応じてスジ押し用ラインマークを付けた紙製の花びらピースと、紙製の葉っぱピースであって、前記葉枝用線条ピースの先端部分を収納するポケット部分を形成するための谷折りラインマークを付けた葉っぱピースと、紙製であり、先端が細長く鋸歯状に分かれて突出する扇形の萼ピースと、前記花びらピース／萼ピースおよび葉っぱピースを、それぞれ前記茎用線条ピースおよび葉枝用線条ピースの先端に固定するための両面テープのセットと、花びらをカールするための巻き棒と、を有することを特徴とする。
また本発明アートフラワーは、この作成キットで作成したことを特徴とする。
【発明の効果】
【０００５】
本発明によれば、紙製であるため、従来のような布、合成樹脂、プリザーブドのような高価なものでなく、またこて等のツール、接着剤を使用することなく、花びらをカールするための巻き棒、および両面テープを使用するだけで、アートフラワーを手軽に作成し、作成過程そのもの、および仕上がり後に観賞して楽しむことができる。
また、すべての材料が必要な寸法に仕上げられているため、道具（はさみ）等を準備することなく作成できるとともに、材料・道具がすべて揃っているので、入院中の人、外出できない人の癒しにもなる。
さらに、材料が紙であるため、花びらなどにメッセージ、社名、シンボルマークを印刷し、販売促進に使用することもできる。
さらにまた、手持ちコサージュに加えて、クリスマス、バレンタイン、誕生日またはその他の記念日などのイベントの際におけるプレゼントとして、花びらの裏にメッセージを手書きして思いを伝えることができる。
【発明を実施するための最良の形態】
【０００６】
本発明の好適な実施形態においては、花びらピースは、大、中、小の少なくとも３種類の形状を用意し、大、中用ピースにはスジ押し用ラインマークを付けたバラ系の花用キットとする。
【０００７】
本発明の好適な実施形態においては、花びらピースおよび葉っぱピースは、温度により色が変化するインクを塗布したものとする。この実施形態では、例えば、花の色を日中と夜とで変化するものとすると、時間帯によって、別色のフラワーを楽しむことができ、また葉っぱを緑（春）→オレンジ（夏）→紅（秋）と変化するものとすると、季節感も味わえるようになる。
【０００８】
また、花びらピースは芳香剤を塗布したものとすると、アロマセラピー効果も得られる。この場合、芳香剤は、芳香剤を封入し、擦ると芳香を発するマイクロカプセル粒子を混入した塗料とすると、好みに応じて放香させることができる。
【０００９】
さらに、好適な実施形態においては、３輪の花用の作品セットと、花用の練習用セットを用意する。この実施形態によれば、練習用セットがあるため、失敗に対する恐れを払拭でき、作成における精神的プレッシャーを軽減することができる。
【実施例】
【００１０】
本発明の好適な実施例によれば、図１に示すように、着色した針金または樹脂製の太い茎用線条ピース１および細い葉枝用線条ピース２（図１（ａ）参照）と、紙製の花びらピース３（図１（ｂ）参照）、葉っぱピース４（図１（ｃ）参照）および萼ピース５と、花びらピース３／萼ピース５および葉っぱピース４をそれぞれ茎用線条ピース１および葉枝用線条ピース２に固定するための両面テープのセット６（図１（ｅ）参照）と、花びらをカールするための巻き棒７（図１（ｆ）参照）と、を設ける。萼ピース５は、先端が細長く鋸歯状に分かれた突枝を有する扇形をした展開形状のピースとし、裏面から見て右側には花に取り付け易くするための、のりしろ５Ａ、のりしろ５Ｂを設ける（図１（ｄ´）参照）。
【００１１】
花びらピース３は、例えば、１輪のバラ系の花として、大きさがそれぞれ異なる大ピース３ａ、中ピース３ｂ、小ピース３ｃをそれぞれ６枚ずつ用意する。このうち、大ピース３ａ、中ピース３ｂにはスジ押し用ラインマーク８を付ける。さらに、葉っぱピース４は、大ピース４ａを１枚、中ピース４ｂを３枚および小ピース４ｃを４枚用意する。これら葉っぱ用の大中小の各ピース４ａ，４ｂおよび４ｃには、必要に応じて、葉枝用線条ピース２の先端部分を収納するポケットを形成するための谷折りラインマーク、葉脈形成のための谷折りおよび山折りの各ラインマークを付ける。
【００１２】
さらに、針金製の線条ピース１，２の場合、１輪のバラ系の花に対しては、１本の太い茎用線条ピース１と、細い葉枝用線条ピース２として、例えば、１本の長ピース２ａと３本の短ピース２ｂを用意する。
この短ピース２ｂを長ピース２ａに捩じり付けた後、長ピース２ａをＶ字状に折り曲げて葉枝を形成する。
このようなバラ系の花１輪分のセットを３セット用意してキットを構成する。
【００１３】
両面テープのセット６は、３セット分の花芯用部分６Ａ（１枚）、花びら接着用部分６Ｂ（２枚）、および葉の芯／萼接着用部分６Ｃ（１枚）として分離可能な４枚のシート６とすると好適である。
【００１４】
作成は、針金製の線条ピースの場合、以下の通りに行う。
１．花びら小ピースのカール
花びらピース３の各小ピース３ｃを巻き棒７の周りに全体的筒状に巻き付けてカールさせる。
筒状にカールさせた６枚の小ピース３ｃのうち３枚を広げて右肩部分の裏側に、斜めに当てた巻き棒７に沿ってカールさせたのち、半開きにする。
【００１５】
２．花びら大・中ピースのカール
花びらピース３の大中の各ピース３ａ，３ｂを、それぞれスジ押し用ラインマーク８に合わせて谷折りにする。谷折りすることにより、花びらが外側に倒れるのを防止し、また花が開き過ぎないようにすることができる。
これらピース３ａ，３ｂを裏返し、左右の肩部分にそれぞれ斜めに当てた巻き棒７に沿って、スジ押し用ラインマーク８の上端部にかかるまで巻き付けることによりカールさせたのち、形を整える。
【００１６】
３．茎用線条ピースへの花びら取り付け
太い茎用線条ピース１の先端に、両面テープの花芯用部分６Ａを巻き付けて花芯部分を作る。
両面テープの花びら接着用部分６Ｂを使用して、まず、花びらの筒状に巻いた小ピース３ｃをこの花芯部分の周りにバランスよく分布するよう貼り付ける。
両面テープの花びら接着用部分６Ｂを使用して、半開き小ピース３ｃを花芯部分の周りにバランスよく分布するよう貼り付ける。
つぎに、花びらの３枚の中ピース３ｂを花芯部分の周りにバランスよく分布するよう貼り付け、その後残りの３枚の中ピース３ｂを先行して貼り付けた中ピース３ｂ間に貼り付ける。
最終的に、花びらの６枚の大ピース３ａを順次オーバーラップさせながら、花芯部分の周りにバランスよく分布するよう貼り付ける。
【００１７】
４．茎用線条ピースへの萼取り付け
扇形をした展開形状の萼ピース５ののりしろ５Ａ、５Ｂに、両面テープの葉の芯／萼接着用部分６Ｃを使用して貼り付け、また萼ピース５の５本の鋸歯状突枝を分け目から手前に折り返す。
残りの扇形部分におけるのりしろ５Ｂを花の根本に貼り、萼ピース５を、花びらの大ピース３ａの周囲で花芯部分の周りに巻き付け、のりしろ５Ｂにのりしろ５Ａを重ね合わせ、萼ピース５を花芯部分に取り付ける。
５本の鋸歯状突枝をつまんでカールを付け、花芯部分の付け根を押しつぶす。この後、突枝の先端部分に表情を付ける。
【００１８】
５．葉っぱの作成
葉っぱピース４の各ピース４ａ，４ｂおよび４ｃを色の濃い方を内側になるように折り曲げ、
さらに葉の芯を差し込むためのポケット部分を作るため谷折りラインマークに沿って谷折りする。
ポケット部分は、そのままにして、残りの葉っぱ部分を斜めに山折り、谷折りを交互に折り込み、葉脈を形成し、各葉っぱピース４を広げる。
【００１９】
６．葉枝用線条ピースへの葉っぱの取り付け
細い葉枝用線条ピース２の短ピース２ｂを長ピース２ａに捩じり付けた後、長ピース２ａをＶ字状に折り曲げて葉枝を形成する。
この葉枝の各先端に、両面テープの葉の芯／萼接着用部分６Ｃを巻き付けて葉の芯を形成する。
葉っぱピース４の各ピース４ａ，４ｂおよび４ｃのポケット部分を、葉の芯の周りに貼り付ける。
【００２０】
７．茎用線条ピースと葉枝用線条ピースの合体（仕上げ）
４）の工程で完成した茎用線条ピースと６）の工程で完成した葉枝用線条ピースを合体させ、枝ぶり、葉ぶりを整えて一輪の花を完成。
これらの工程を残りの２輪のセットでも繰り返す。
【００２１】
花びらピース３および葉っぱピース４は、温度により色が変化する示温インクを塗布したものとすると、例えば、花の色を日中と夜の時間帯によって、それぞれ別色のフラワーを楽しむことができ、また葉っぱを緑（春）→オレンジ（夏）→紅（秋）と変化させて、季節感も味わえるようになる。
この示温インクは、高温多湿環境ではブルーム（粉ふき）現象という不具合があるが、このブルーム（粉ふき）現象によって光が散乱し、アートフラワーではむしろ好ましい、きらびやかな印象を与えることができる。
【００２２】
また、花びらピース３は、芳香剤、または芳香剤を封入して擦ると芳香を発するマイクロカプセル粒子を混入した塗料を塗布したものとすると、手作り装飾品としてだけでなく、アロマセラピー効果も得られる。
【産業上の利用可能性】
【００２３】
本発明アートフラワー作成キットは、主婦、お年寄り向けの趣味的手芸用に利用でき、また、この作成キットで作成したアートフラワーは、メッセージカードを添付した母の日、敬老の日のプレゼント用等、装飾品としても利用できる。
【図面の簡単な説明】
【００２４】
【図１】本発明によるアートフラワー作成キットの実施例を示し、（ａ）は茎用線条ピースおよび長短の葉枝用線条ピース、（ｂ）は大中小の花びらピース、（ｃ）は葉っぱピース、（ｄ）および（ｄ´）は萼ピースの表面および裏面、（ｅ）は両面テープのセット、（ｆ）は巻き棒を示す線図的説明図である。
【符号の説明】
【００２５】
１  茎用線条ピース
２  葉枝用線条ピース
２ａ  長ピース
２ｂ  短ピース
３  花びらピース
３ａ  大ピース
３ｂ  中ピース
３ｃ  小ピース
４  葉っぱピース
４ａ  大ピース
４ｂ  中ピース
４ｃ  小ピース
５  萼ピース
６  両面テープのセット
７  巻き棒
８  スジ押し用ラインマーク
【図１】
2009242965.tif 000003